(57)【特許請求の範囲】
【請求項１】
生体信号を検出し、当該生体信号から拡張期に相当する期間を特定するパルス出力をおこなう制御手段（３）、加圧用空気圧を形成する加圧用空気圧形成手段（６）（７）、前記、加圧用空気圧形成手段（６）（７）で形成された空気圧を外部電気信号により開閉することで加圧空気圧を断続出力するための加圧バルブ（８）、加圧用伸縮袋（４３）内の空気圧を外部電気信号により開閉することで加圧用伸縮袋（４３）内の加圧空気圧を断続して大気圧へ戻す減圧バルブ（９）、
前記制御手段（３）で出力される拡張期間に連続した電気刺激パルスを出力する刺激パルス出力手段（４）、
内部に加圧用伸縮袋（４３）を内蔵し、生体と接触する接触面に前記刺激パルス出力手段（４）と接続する導子（１５）（１６）が配置され、囲繞して使用される円筒状の帯状体、よりなり、
前記制御手段（３）で得られた拡張期において、加圧バルブ（８）を開き、減圧バルブ（９）を閉じることで、４０mｍHg〜６０mmHgの圧力で加圧用伸縮袋（４３）を膨張させ、且つ電気刺激パルスを前記導子（１５）（１６）へ出力し、帯状体により囲まれた部位への加圧と電気刺激を同時に行い、拡張期以外の期間では、加圧バルブ（８）を閉じ、減圧バルブ（９）を開くことで、加圧用伸縮袋（４３）内を外部へ放出して収縮させ、且つ電気刺激パルス出力を停止させる血行促進装置。
【請求項２】
前記導子（１５）（１６）がカーボン、チタン、銀、塩化銀より選ばれた電極単体である請求項１に記載の血行促進装置。
【発明の詳細な説明】
【０００１】
【産業上の利用分野】
本発明は、生体信号を検出し、検出した生体信号に基づいた範囲に刺激を生体に印加し、血行の促進を図ることを特徴とする血行促進装置に関する。
【０００２】
【従来技術】
生体に電気刺激、機械的刺激等を与えて、血行促進を図ろうとする装置は、多数提供されているものの、大半は単に刺激を与えているだけであり、その刺激が血行促進に反映されているかどうかは明確ではない。
【０００３】
【課題を解決するための手段】
上記に鑑み本発明は、検出した生体信号情報に基づいた範囲において、電気刺激及び物理的刺激を出力する互いに性質の異なる刺激を出力する刺激手段を備えた血行促進装置を提案することにより、可及的な血行促進を図ると共に、２つの異なった刺激を加えることで、従来では達成できなかった心地のよい刺激感覚を実現し、本発明に到達したものである。本発明で示す生体信号情報とは、心電図、心音図、脈波、心拍等の１乃至これらの組み合わせを示すものであるが、これらに限らず、生体の情報として検出できる手段によって検出されたものであれば特に限定されない。本発明の適用部位は、上述した用途に応じて適宜選択されるものであるが、より具体的には、腹部、脚部等の部位あるいは全身に適用されることが例示される。
【０００４】
【実施例】
図１は本発明の一実施例を示す図である。
１は、脈波検出器であり、発光ダイオード及び受光素子の組み合わせや、圧電素子等で構成され、脈波電気信号を生成する。尚、図１では、耳たぶの部分に挟持する形で構成される脈波検出器を示しているが、指先、手首等従来脈波検出可能な部位であって、検出態様に応じた形の構成をとるものであればいかなるものであってもよい。
２は、入力手段であり、入力される脈波信号に対する増幅、フィルタを行い、更に脈波のピーク電圧を検出してパルスに変換して出力するものである。その具体的構成は例えば特開平５年第３３７１９５号公報から特開平５年第３３７２０１号公報等に記載された技術を用いるものである。
３は、制御手段であり、入力したパルスを遅延、カウント等の処理をして、拡張期に相当する期間（範囲）を特定し、電気刺激用パルス及び圧力調整用パルス信号を出力するものであり、例えばマイクロコンピュータ、ＡＳＩＣ等が利用される。
４は、電気刺激パルス出力手段であり、インダクタ、コンデンサ等の素子を具備し、入力されるパルスに対し２００Ｖ以下叉はそれ以上の高電圧パルスを形成出力するものである。
５は、加圧調整手段であり、入力されるパルスに対し電磁弁等の開閉を行う為の信号を出力するものである。
６は、加圧用ポンプであり、空気を加圧、圧縮する為の装置である。
７は、貯留部であり、加圧用ポンプ６で加圧された空気を一時的に蓄えておくものである。貯留部７の大きさは、空気量５０００ｃｃ以下で好ましくは２０００ｃｃ〜５０００ｃｃを貯留することを示すものであるが、基本的に加圧量によって適宜調整されるものであり、加圧用ポンプの駆動力が充分である等その他不用な条件が整えば、特に必要が無い場合も有り得る。貯留部７は、アルミニウム等の金属製が好ましいが、その他貯留部を形成するに足りる材質であれば、適応可能である。
８は、加圧バルブであり、電気信号、機械的操作等の外部入力により開閉動作を行い、開いた時、貯留部７の加圧された空気圧を生体方向へ供給する為のものである。
９は、減圧バルブであり、電気信号、機械的操作等の外部入力により開閉動作を行い、開いた時、空気圧を外部に放出する為のものである。
１０、１１は、電気リード線であり、加圧バルブ８、減圧バルブ９へ開閉動作させる為の電気信号を供給する為のものである。
１２は導管であり、空気圧を伝搬する為のものであって、好ましくは伸縮性を抑えた管状体で形成される。
１３、１４は刺激パルス出力用の電気リード線であり、電極１５，１６へ電気刺激パルスを伝達させる為のものである。
１５、１６は、電極であり、チタン、銀、塩化銀、カーボン等の電極、リード線、及び、含水ゲル、含水不織布等の皮膚接触体の組み合わせ、或いは電極単体よりなり、生体と接触し、電気刺激パルスを出力する為のものである。
１７、１８は、加圧用伸縮袋であり、空気圧により、膨張収縮を繰り返すものである。加圧用伸縮袋１７、１８は通常血圧計等で使用されるカフに内蔵されているものを用いることが可能である。
【０００５】
次に図１で示す実施例の動作について図２を参照して説明する。
耳たぶＭに装着された脈波検出器１より図２（ａ）で示すような電気脈波信号を検出し、入力手段２において増幅、フィルタを施した後、ピーク電圧を検出し、図２（ｂ）で示すパルスを形成する。このパルスは、おおよそ収縮期の位置を示すものとすることができる。
又、ピークホールド回路等を利用した場合、パルスの立ち上がりは、図２（ｂ）の点線で示す様に電気脈波信号の最低値から始まる場合もある。
この収縮期パルスを制御手段３に入力すると、このパルスに基づいて拡張期を遅延処理などを施して判断叉は検出し、この拡張期間に電気刺激パルスを出力する為の信号を電気刺激パルス生成手段４に出力し、更に、加圧する為のバルブ開閉を行う為の信号を加圧調整手段５へ出力する。
加圧調整手段５は、加圧調整バルブ８を開け、減圧調整バルブ９を閉める為の信号を各バルブへそれぞれ電気リード線１０、１１を介して出力する。
貯留部７の加圧空気は、加圧バルブ８、導管１２を介して加圧用伸縮袋１７、１８に供給され、これら加圧用伸縮袋は膨張する。
同時に電気刺激パルス生成手段４から出力された電気刺激パルスは、電気リード線１３、１４を介して電極１５、１６に印加される。
加圧用伸縮袋１７、１８に対する加圧の推移を図２（ｄ）に示す。加圧用伸縮袋１７、１８の膨張により、これらを装着した生体部位が加圧されると共に、図２（ｃ）で示すように電気刺激が加えられるものである。
次の脈波が到来すると入力手段２は、収縮期パルスを出力し、制御手段３は、これを入力することで、電気刺激パルス出力及び加圧を停止する旨の信号を電気刺激出力部４及び加圧調整手段５へ出力する。
電気刺激出力部４は、この信号により動作を停止し、加圧調整手段５は、加圧バルブ８を閉める旨の信号、減圧バルブ９を開く旨の信号を出力する。
加圧バルブ８が閉じ、減圧バルブ９が開放されると加圧用伸縮袋１７，１８内部の空気が出て、生体の加圧を停止させる。
以上の動作を脈波毎におこなうものであるが、その他、１〜数脈波毎に加圧と電気刺激を与えてもよい。
電気刺激の周波数は、数Ｈｚ〜数百Ｈｚで振幅電圧は、３００Ｖ程度迄を例示するがパルスに限らず、交番波電刺激等その他の電気刺激態様であってもよい。その他、電気刺激の態様は、更に１対の電極を付加し、それぞれ一対の電極に数ＫＨｚ〜数十ＫＨｚの高周波を与え、これら２つの高周波電流が体内で交差する部分にその周波数差の低周波刺激を発生させる干渉波電気刺激であってもよい。この干渉波電気刺激については、特開平２−１４０１３５号公報、特開昭５８−２０６７６０号公報等に記載された技術が好適に使用される。
加圧の程度は、その部位によっても異なるが、少なくともその部位の静脈圧よりも高い圧力であり４０ｍｍＨｇ〜６０ｍｍＨｇが示される。
又、生体信号検出手段として、上述の他、心電図、心音図及びこれらの組み合わせが利用可能である。
本実施例についての使用時間は、例えば１日１回３０分以下が好適な一例として例示されるがこれに限るものではない。
この様に、拡張期の範囲に陽圧の如き押圧動作及び電気刺激の印加を行い、且つこれを繰り返すことで、非常に心地よい刺激と可及的な血行促進動作が図れるものである。
【０００６】
その他、生体を刺激する部位に応じた加圧部材の形状の他の一例を示す。図３は、腹部、脚部等に装着される際の加圧部材の一例である。４１は、帯状体であり、生体適応箇所を囲み押圧するために形成される囲鐃部４２を有し、必要に応じて移動しない様にする為の係止部叉は、適当な締め付けを行う為の締付部が付加されている。  締付部の締め付け量は、締め付け部位、圧力、電気刺激の強さ等に応じて異なるが、使用者の経時的に発生する圧迫感等に対処するために適宜容易調整可能であることが好ましく、具体的には、面状ファスナー、複数に配列されたスナップファスナーが例示される。その他、予め大きさが調整されたゴム、ビニール、メッシュ状の布、及びこれらの組み合わせ等の素材で形成された円筒状のものであってもよい。尚、これらの具体的素材は、円筒状部材を形成する他、帯状体４１の素材として用いられるものである。
帯状体４１は、その内部に加圧用伸縮袋４３がその全部叉は一部に内包されており、これが膨らむことで、生体を加圧する。電極１５、１６の位置は、特に限定されるものではなく、適宜選択される。
又、拡張期において必ずその期間全部に刺激を与えるものではなく、その期間の一部であってもよい。
【０００７】
又、以上の実施例は、１心拍に対する拡張期において陽圧及び電気刺激、或いはその一方を加えるものであったが、これに限らず、２心拍おき、複数心拍おき等間欠的であってもよい。
又、本発明を適応する生体部位によっては、血行促進による痩身効果、様々な治療等を実現するものであり、医療用の他家庭用の治療器、美容機器として提供されるものであるが、その具体例について以下に示すものである。
・痩身、間質液除去等の美容用装置、血流改善を目的とした装置等、
・腹部においては、内臓（肝臓、腎臓、各腸部）の循環改善
【０００８】
【発明の効果】
以上詳述のごとく本発明は、心臓の活動に基づいた特徴時相に於ける電気刺激と空気圧による陽圧の組合せによる複合的な刺激により、それぞれ単一の刺激ではなし得なかった心地よく且つ可及的な血行促進が図れ、更には様々な治療が行える等の効果を有する。
【図面の簡単な説明】
【図１】  本発明の一実施例を示す図。
【図２】  図１の動作を説明する為の図。
【図３】  本発明の実施例の加圧手段の一構成例を示す図。
【符号の説明】
１    脈波検出器
２    入力手段
３    制御手段
４    電気刺激パルス出力手段
５    加圧調整手段
６    加圧生成部
７    加圧室
８    加圧バルブ
９    減圧バルブ
１０  、１１  電気リード線
１２  導管
１３、１４  電気リード線
１５、１６  電極
１７、１８  加圧用収縮袋
【図１】
0003995852.tif 000002
【図２】
0003995852.tif 000003
【図３】
0003995852.tif 000004